(57)【要約】      （修正有）【課題】便利に引き掛けられ、且つ、必要なチューブや電線を便利に引っ張り出すことができるチューブ、電線を包装するプラスチックケースを提供する。【解決手段】チューブ、電線を包装するプラスチックケースにおいて、包装体は第一プラスチックケース及び第二プラスチックケースにより構成され、第一プラスチックケースの上方には引き掛け孔を設けて引き掛け用とする。第一プラスチックケース及び第二プラスチックケースの中央には軸サポート部を設け、該軸サポート部は、熱圧、リベット接合、或いは接着剤接合によって一体結合し、第一プラスチックケース及び第二プラスチックケースの軸サポート部の周囲には内設空間を設け、チューブや電線を巻き付け収納するのに用いる。使用する場合は、内設空間の下方にカットした開口からチューブや電線を引っ張り出すだけでよいことが特徴である。【選択図】図１
0003143421.tif 000002
【実用新案登録請求の範囲】
【請求項１】
包装体を含み、該包装体は第一プラスチックケース及び第二プラスチックケースにより構成され、該第一プラスチックケース及び該第二プラスチックケースの中央には軸サポート部を設け、二つの該軸サポート部の周囲には内設空間を設け、チューブや電線を巻き付け収納するのに用い、使用時は内設空間の下方にカットした開口からチューブや電線を引っ張り出して使うことを特徴とするチューブ、電線を包装するプラスチックケース。
【請求項２】
該包装体の第一プラスチックケースの上方には引き掛け孔を設けることを特徴とする請求項１記載のチューブ、電線を包装するプラスチックケース。
【請求項３】
該第一プラスチックケース及び該第二プラスチックケースの該軸サポート部は、高周波熱圧方式によって一体結合することを特徴とする請求項１記載のチューブ、電線を包装するプラスチックケース。
【請求項４】
該第一プラスチックケース及び該第二プラスチックケースの該軸サポート部は、リベット接合方式によって一体結合することを特徴とする請求項１記載のチューブ、電線を包装するプラスチックケース。
【請求項５】
該第一プラスチックケース及び該第二プラスチックケースの該軸サポート部は、接着剤結合方式によって一体結合することを特徴とする請求項１記載のチューブ、電線を包装するプラスチックケース。
【考案の詳細な説明】
【技術分野】
【０００１】
チューブ、電線を包装するプラスチックケースは、主に電線の包装に応用するものであり、特に便利に引き掛けられ、且つ、必要なチューブや電線を便利に引っ張り出すことができる技術に関する。
【背景技術】
【０００２】
伝統的な公知の電線包装は全て、一巻きにしており、使用する場合は、包装袋を開き巻き付いている電線を解いた後、必要長さの電線を引っ張り出し、更に余った電線を再度巻き付けなければならず、明らかに面倒で不便である。これが克服と解決が待たれている第一の問題点及び欠点である。
【０００３】
また、伝統的な公知の電線包装は、収納する場合に引き掛けることができず、大部分が適当に放置されており、あちこち探しても見つからない状況が発生し易く、これが、克服と解決が待たれている第二の問題点及び欠点である。
【考案の開示】
【考案が解決しようとする課題】
【０００４】
該問題点に鑑み、本考案者は創出改善精神に基づき積極的に研究開発を行い、終に完成した本考案によるチューブ、電線を包装するプラスチックケースを提供する。
【０００５】
第一問題点を解決する為に本考案が応用する技術手段及び従来技術と比較した効果は、次の通りである。本考案は、包装体の第一プラスチックケースと第二プラスチックケースの中央に軸サポート部を設け、該軸サポート部の周囲には内設空間を設けて、チューブや電線の巻き付け、収納に用いる。使用する場合は、先ず内設空間の下方にカットした開口から必要な長さのチューブや電線を引っ張り出すことができる故、使用は明らかに簡単で便利、且つ、効果上の向上が見られ、主要目的を達成する。
【０００６】
また、第二問題点を解決する為に本考案が応用する技術手段及び従来技術と比較した効果は、次の通りである。本考案のパッキング体の第一プラスチックケース上方に引き掛け孔を設けてある故、使用者はパッキング体を壁に掛けることができ、収納物は見つけ易く、あちこち探しても見つからず遺失する状況が発生し難く、効果上の向上が見られ、第二の目的を達成する。
【課題を解決するための手段】
【０００７】
請求項１の考案包装体を含み、該包装体は第一プラスチックケース及び第二プラスチックケースにより構成され、該第一プラスチックケース及び該第二プラスチックケースの中央には軸サポート部を設け、二つの該軸サポート部の周囲には内設空間を設け、チューブや電線を巻き付け収納するのに用い、使用時は内設空間の下方にカットした開口からチューブや電線を引っ張り出して使うことを特徴とするチューブ、電線を包装するプラスチックケースとしている。
請求項２の考案は、該包装体の第一プラスチックケースの上方には引き掛け孔を設けることを特徴とする請求項１記載のチューブ、電線を包装するプラスチックケースとしている。
請求項３の考案は、該第一プラスチックケース及び該第二プラスチックケースの該軸サポート部は、高周波熱圧方式によって一体結合することを特徴とする請求項１記載のチューブ、電線を包装するプラスチックケースとしている。
請求項４の考案は、該第一プラスチックケース及び該第二プラスチックケースの該軸サポート部は、リベット接合方式によって一体結合することを特徴とする請求項１記載のチューブ、電線を包装するプラスチックケースとしている。
請求項５の考案は、該第一プラスチックケース及び該第二プラスチックケースの該軸サポート部は、接着剤結合方式によって一体結合することを特徴とする請求項１記載のチューブ、電線を包装するプラスチックケーとしている。
【考案の効果】
【０００８】
本考案のチューブ、電線を包装するプラスチックケースは、使用が簡単で便利、且つ、引き掛けて収納できることを特徴とする。
【考案を実施するための最良の形態】
【０００９】
チューブ、電線を包装するプラスチックケースについて、図１に本考案実施例１の立体組立図を、図２に本考案実施例１の側面断面図を示す。実施例１において、包装体１０は第一プラスチックケース１１及び第二プラスチックケース１２により構成され、第一プラスチックケース１１の上方には引き掛け孔１３を設けて引き掛け用とする。第一プラスチックケース１１及び第二プラスチックケース１２の中央には内側方向に突出し相互に対応する軸サポート部１４及び軸サポート部１５を設ける。該軸サポート部１４及び軸サポート部１５は、高周波熱圧（図１参照）、リベット接合（図３参照）、或いは接着剤接合（図４参照）方式によって結合して一体化し、第一プラスチックケース１１の軸サポート部１４及び第二プラスチックケース１２の軸サポート部１５の周囲には内設空間１６を設け、チューブや電線２０を巻き付け収納するのに用いる。
【００１０】
該各部品により組立構成された本考案は、チューブ、電線を包装するプラスチックケースを提供する。実際の応用操作は図５の本考案実施例１の使用状態図に示す通りである。使用者は上方の引き掛け孔１３を使って包装体１０を引き掛け、更に包装体１０下方にカットして設けた開口１７からチューブや電線２０を引っ張り出し、必要長さのチューブや電線２０を切り取る。使用は便利で簡単、同時に収納も簡単で、遺失させることがない。
【００１１】
前述をまとめると、本考案は、チューブや電線を包装するプラスチックケースを提供する。本考案者は実際に本考案を製作しテスト操作を繰り返した結果、本考案の予期する効果を確実に達成することが証明された。
【図面の簡単な説明】
【００１２】
【図１】本考案の実施例１における立体図である。
【図２】本考案の実施例１における側面断面図である。
【図３】本考案の実施例２における立体分解図である。
【図４】本考案の実施例３における立体分解図である。
【図５】本考案の実施例１における使用状態図である。
【符号の説明】
【００１３】
１０  包装体
１１  第一プラスチックケース
１２  第二プラスチックケース
１３  引き掛け孔
１４  軸サポート部
１５  軸サポート部
１６  内設空間
１７  開口
２０  チューブや電線
【図１】
0003143421.tif 000003
【図２】
0003143421.tif 000004
【図３】
0003143421.tif 000005
【図４】
0003143421.tif 000006
【図５】
0003143421.tif 000007